(57)【特許請求の範囲】
【請求項１】
液体流入路と、前記液体流入路に対して角度を有するとともに連通室を介して前記液体流入路に連通する液体流出路と、前記連通室を介して前記液体流出路に対向して前記連通室に連通するサンプリング孔とが形成されたバルブハウジングと、
前記連通室内に装着され、前記サンプリング孔と前記連通室とを連通させる開放位置と連通を遮断する閉塞位置とに作動する弁部材と、
前記連通室内に装着され、前記弁部材に対して前記閉塞位置に向かうばね力を加えるばね部材と、
前記バルブハウジングに設けられ、前記サンプリング孔の抜き取り口を覆う閉塞キャップと、前記抜き取り口に連通して液体をサンプリングするサンプリング部材とが選択的にそれぞれ着脱自在に装着される着脱部と、
前記サンプリング孔内に軸方向に移動自在に装着され、前記閉塞キャップと前記サンプリング部材の一方が装着されたときには前記弁部材を前記開放位置に移動し、前記閉塞キャップと前記サンプリング部材のいずれもが取り外されたときには前記弁部材を前記閉塞位置に移動するステムとを有し、
前記連通室と前記抜き取り口との間の前記サンプリング孔を複数に区分する案内通路を前記ステムに形成し、
前記閉塞キャップが装着された状態のもとで、前記液体流入路から流入した液体を前記液体流出路に振り向けるとともに、前記連通室から前記抜き取り口を介して前記連通室に戻る循環液流を前記連通室に形成する液流偏向面を前記ハウジング内に形成することを特徴とする医療用サンプリングバルブ。
【請求項２】
請求項１記載の医療用サンプリングバルブにおいて、前記サンプリング孔と前記液体流出路とを前記連通室を介してほぼ同軸状に形成することを特徴とする医療用サンプリングバルブ。
【請求項３】
請求項１記載の医療用サンプリングバルブにおいて、前記サンプリング孔と前記液体流出路とを前記連通室を介して相互に径方向に偏心して形成することを特徴とする医療用サンプリングバルブ。
【請求項４】
請求項１記載の医療用サンプリングバルブにおいて、前記連通室を前記サンプリング孔に向けて傾斜して形成することを特徴とする医療用サンプリングバルブ。
【請求項５】
請求項１〜４のいずれか１項に記載の医療用サンプリングバルブにおいて、前記サンプリング孔を前記液体流入路と前記液体流出路よりも上側に配置することを特徴とする医療用サンプリングバルブ。
【請求項６】
請求項１〜５のいずれか１項に記載の医療用サンプリングバルブにおいて、前記ばね部材は液体通過用切欠きを有する板ばねであることを特徴とする医療用サンプリングバルブ。
【発明の詳細な説明】
【技術分野】
【０００１】
本発明は透析液等の液体を案内する液体流路からサンプル液体を抜き取るための医療用サンプリングバルブに関する。
【背景技術】
【０００２】
血液の老廃物を除去するための人工透析装置は、血液流路と透析液流路とを形成する中空糸膜が設けられた透析器を有し、透析器にはその血液流路に血液を案内する血液ラインと、透析器の透析液流路に透析液を案内する透析液ラインとが設けられている。人工透析装置には、透析液の状態を検査するために、透析液ラインから透析液を抜き取る医療用サンプリングバルブが設けられている。
【０００３】
透析液ラインに設けられるサンプリングバルブは、透析液が流入する液体流入路と透析液が流出する液体流出路とが設けられたバルブハウジングを有しており、透析が行われているときに透析液の抜き取りを行うことができるように、バルブハウジングには抜き取り口が設けられている。抜き取り口は通常時には閉塞キャップにより閉じられており、透析液をサンプリングする際には閉塞キャップがバルブハウジングから取り外されて抜き取り管により透析液は外部に抜き取られる。閉塞キャップが取り外されたときに透析液が抜き取り口から流出するのを防止するために、例えば、特許文献１に記載されるように、バルブハウジング内には抜き取り口を閉塞するための弁体が組み込まれており、この弁体はサンプリング部材としての抜き取り管がバルブハウジングに装着されると、抜き取り口を開放して透析液が抜き取り口から抜き取り管に流入するようになっている。
【特許文献１】特開２００３−９３５０１号公報
【発明の開示】
【発明が解決しようとする課題】
【０００４】
透析液ラインに用いられるサンプリングバルブにおいては、バルブ内部に透析液が滞留すると、血液中から透析された老廃物等が沈殿することがあり、透析液の滞留をなくすことが重要な解決課題となっている。特に、閉塞キャップの着脱に連動させて抜き取り口を開閉するためにバルブハウジング内に弁体を設けるようにしたサンプリングバルブにおいては、弁体と抜き取り口との間にサンプリング孔が形成されることになり、透析液のサンプリングが行われないときにもこのサンプリング孔に透析液が流入することが不可避となる。透析時にサンプリング孔内に透析液が滞留すると、血液から透析された老廃物等の異物が内部に付着したり、透析液が劣化したりするおそれがあり、サンプリング孔における透析液の滞留を防止する必要がある。
【０００５】
さらに、閉塞キャップに連動させて抜き取り口を開閉する弁体の近傍における透析液の流れは複雑に蛇行することになる。このため、従来のように、液体流入路と液体流出路を一直線状にバルブハウジングに形成し、これらを連通させる流路の下側に弁体を配置するようにすると、弁体に異物が付着するおそれがある。弁体に異物が付着すると、透析終了後における透析ラインの洗浄作業に時間がかかることになる。
【０００６】
本発明の目的は、医療用サンプリングバルブにおける透析液等の液体の滞留を防止し得るようにすることにある。
【課題を解決するための手段】
【０００７】
本発明の医療用サンプリングバルブは、液体流入路と、前記液体流入路に対して角度を有するとともに連通室を介して前記液体流入路に連通する液体流出路と、前記連通室を介して前記液体流出路に対向して前記連通室に連通するサンプリング孔とが形成されたバルブハウジングと、前記連通室内に装着され、前記サンプリング孔と前記連通室とを連通させる開放位置と連通を遮断する閉塞位置とに作動する弁部材と、前記連通室内に装着され、前記弁部材に対して前記閉塞位置に向かうばね力を加えるばね部材と、前記バルブハウジングに設けられ、前記サンプリング孔の抜き取り口を覆う閉塞キャップと、前記抜き取り口に連通して液体をサンプリングするサンプリング部材とが選択的にそれぞれ着脱自在に装着される着脱部と、前記サンプリング孔内に軸方向に移動自在に装着され、前記閉塞キャップと前記サンプリング部材の一方が装着されたときには前記弁部材を前記開放位置に移動し、前記閉塞キャップと前記サンプリング部材のいずれもが取り外されたときには前記弁部材を前記閉塞位置に移動するステムとを有し、前記連通室と前記抜き取り口との間の前記サンプリング孔を複数に区分する案内通路を前記ステムに形成し、前記閉塞キャップが装着された状態のもとで、前記液体流入路から流入した液体を前記液体流出路に振り向けるとともに、前記連通室から前記抜き取り口を介して前記連通室に戻る循環液流を前記連通室に形成する液流偏向面を前記ハウジング内に形成することを特徴とする。
【０００８】
本発明の医療用サンプリングバルブは、前記サンプリング孔と前記液体流出路とを前記連通室を介してほぼ同軸状に形成することを特徴とする。本発明の医療用サンプリングバルブは、前記サンプリング孔と前記液体流出路とを前記連通室を介して相互に径方向に偏心して形成することを特徴とする。本発明の医療用サンプリングバルブは、前記連通室を前記サンプリング孔に向けて傾斜して形成することを特徴とする。
【０００９】
本発明の医療用サンプリングバルブは、前記サンプリング孔を前記液体流入路と前記液体流出路よりも上側に配置することを特徴とする。本発明の医療用サンプリングバルブは、前記ばね部材が液体通過用切欠きを有する板ばねであることを特徴とする。
【発明の効果】
【００１０】
本発明によれば、液体流入路に連通室を介して連通する液体流出路が液体流入路に対して角度を有しているので、液体流入路から液体流出路に流れる液体は弁部材等に衝突することがない。これにより、連通室の内部を液体が円滑に流れることになり、液体内に含まれる異物等の物質が連通室や液体流出路等に沈殿したり、付着したりすることがなく、液体の劣化が防止されるとともに、サンプリングバルブを洗浄する際の作業性が向上する。
【００１１】
本発明によれば、サンプリング孔が液体流出路に対向して形成されており、連通室内に流入した液体には連通室の位置に応じて圧力差が発生するようになっており、サンプリング孔内に装着されたステムによりサンプリング孔内には複数の案内通路が形成されているので、連通室における液体の圧力差によりサンプリング孔内には、連通室から抜き取り口に向かった後に、連通室に戻る循環液流が生成される。これにより、ばね部材、弁部材およびステムに液体内の異物等の物質が付着することがなく、液体の劣化が防止されるとともに、サンプリングバルブを洗浄する際の作業性が向上する。
【００１２】
本発明によれば、サンプリングバルブを透析液ラインに用いることにより、透析液ラインからの透析液のサンプリングを透析操作を行いながら容易に行うことができる。
【発明を実施するための最良の形態】
【００１３】
以下、本発明の実施の形態を図面に基づいて詳細に説明する。図１（Ａ）は本発明の一実施の形態である医療用サンプリングバルブの外観を示す正面図であり、図１（Ｂ）は図１（Ａ）の側面図である。図２は図１（Ｂ）の断面図であり、図３（Ａ）は図２における３Ａ−３Ａ線断面図であり、図３（Ｂ）は図２における３Ｂ−３Ｂ線断面図であり、図３（Ｃ）は図２における３Ｃ−３Ｃ線断面図であり、図３（Ｄ）は図２における３Ｄ−３Ｄ線断面図であり、図３（Ｅ）は図２における３Ｅ−３Ｅ線断面図である。
【００１４】
図１に示す医療用サンプリングバルブ１０は人工透析装置の透析液ラインに設けられ、透析液の状態を検査する際には、このサンプリングバルブ１０から透析液ラインの透析液が抜き取られることになる。図２に示すように、このサンプリングバルブ１０は、第１のハウジング１１ａと第２のハウジング１１ｂとを有し、これらを組み合わせることによりバルブハウジング１１が形成される。第１のハウジング１１ａは円筒部を有し、その基端部には雄ねじ１２が設けられている。第２のハウジング１１ｂは全体的に段付きの円筒形状となっており、その基端部には雄ねじ１２にねじ結合される雌ねじ１３が設けられている。
【００１５】
第１のハウジング１１ａには、その円筒部に対して径方向を向き図２において水平方向となった流入側ジョイント部１４が設けられ、円筒部の先端には図２において上下方向となった流出側ジョイント部１５が設けられており、これらの流入側ジョイント部１４と流出側ジョイント部１５は相互にほぼ直角となっている。流入側ジョイント部１４には液体流入路１６が形成され、流出側ジョイント部１５には液体流出路１７が形成されており、このサンプリングバルブ１０が人工透析装置の透析液ラインに配置されるときには、透析液ラインを構成するパイプやホース等からなる配管が流入側ジョイント部１４と流出側ジョイント部１５とに接続される。
【００１６】
第１のハウジング１１ａには液体流入路１６と液体流出路１７とを連通させる連通孔１８ａが第１のハウジング１１ａの基端部に向け開口して形成され、この連通孔１８ａの開口部は連通孔１８ａよりも大径の弁収容孔１８ｂに連通している。一方、第２のハウジング１１ｂの基端部には弁収容孔１８ｂに対向する凹部１８ｃが形成されており、２つのハウジング１１ａ，１１ｂを組み合わせると、これら連通孔１８ａ、弁収容孔１８ｂおよび凹部１８ｃによりバルブハウジング１１内には連通室１８が形成される。連通室１８により液体流入路１６と液体流出路１７は連通され、液体流入路１６に流入した液体である透析液はほぼ直角方向に流れ方向を変化させて液体流出路１７から図２において下方に流出する。サンプリングバルブ１０が人工透析装置に装着されたときには、連通室１８は液体流入路１６および液体流出路１７とともに透析液ラインの一部を形成する。
【００１７】
第２のハウジング１１ｂには凹部１８ｃに開口して連通室１８に連通するサンプリング孔１９が軸方向に貫通して形成されている。このサンプリング孔１９は液体流出路１７の中心と同軸状となって液体流出路１７に連通室１８を介して対向している。したがって、液体流入路１６から連通室１８内に水平に流入した透析液は、連通室１８を形成する内周面のうち液体流入路１６に対向する部分を液流偏向面２０として、これに衝突して下方に直角に向きを変えて液体流出路１７から流出することになる。第２のハウジング１１ｂはステンレスやチタンなどの金属により形成されているのに対し、第１のハウジング１１ａは透明性を有する樹脂材料により形成されており、第１のハウジング１１ａの内部を流れる透析液を外部から観察することができる。
【００１８】
液体流入路１６に対する液体流出路１７の角度は直角となっているが、サンプリング孔１９に対して液体流出路１７を対向させることができれば、液体流出路１７の角度は直角に限られず鈍角としても良い。
【００１９】
連通室１８内にはゴム製の弁部材２１が装着されている。弁部材２１は第１のハウジング１１ａと第２のハウジング１１ｂとの間で挟み付けられる環状部２１ａと、弁座２２に接触する径方向中心の弁体２１ｂと、これらの間の弾性変形部２１ｃとを有し、これらは一体となっている。弾性変形部２１ｃには図３（Ｃ）に示されるように複数の貫通孔２３が形成されており、それぞれ連通室１８を構成する弁収容孔１８ｂと凹部１８ｃとの間を透析液が移動するようになっている。弁部材２１は弁体２１ｂが弁座２２に接触してサンプリング孔１９と連通室１８との連通を遮断する閉塞位置と、弁体２１ｂが弁座２２から離れてサンプリング孔１９と連通室１８とを連通させる開放位置とに作動する。
【００２０】
弁体２１ｂを弁座２２に向けて押し付けることにより弁部材２１に対して閉塞位置に向かうばね力を加えるために、ばね部材として板ばね２４が連通室１８内に装着されている。板ばね２４は、図３（Ｄ）に示されるように、十字形状の鋼製の板材により形成されており、円周方向に４つの液体通過用の切欠き部が形成されている。この板ばね２４は径方向中央部が弁体２１ｂに当接し、これよりも径方向外方の切欠き部を介して透析液が弁収容孔１８ｂと連通孔１８ａとの間を移動するようになっている。板ばね２４の径方向外方端部は、図３（Ｄ）および図３（Ｅ）に示されるように、弁収容孔１８ｂの段部に凹部１８ｃに向けて突出して設けられた突起２５に当接するようになっており、突起２５は円周方向に所定の間隔を置いて複数個設けられている。板ばね２４をその径方向外方端部で突起２５により支持することによって突起相互間の隙間を透析液が流れ、連通室１８内に透析液が円滑に流れることになる。また、板ばね２４をばね部材として用いることにより、コイルばねをばね部材として使用する場合に比して、バルブハウジング１１の縦方向の寸法を短くすることができるとともに、透析液との接触面積を小さくすることができる。
【００２１】
バルブハウジング１１に形成されたサンプリング孔１９は、図２に示されるように、第２のハウジング１１ｂの先端部に開口しており、この開口部は透析液を抜き取る抜き取り口２６となっている。第２のハウジング１１ｂの先端部には着脱部として雄ねじ２７が設けられており、この雄ねじ２７にねじ結合される雌ねじ２８を有する閉塞キャップ２９がバルブハウジング１１に着脱自在に装着されている。この閉塞キャップ２９がバルブハウジング１１に装着されると、閉塞キャップ２９により抜き取り口２６は覆われて閉塞される。閉塞キャップ２９がバルブハウジング１１に装着された状態のもとでは、閉塞キャップ２９の先端部内周面に接触して外部に透析液が漏れるのを防止するために、ゴム製のシール材３０が第２のハウジング１１ｂに設けられている。
【００２２】
サンプリング孔１９内には軸方向に移動自在にステム３１が設けられている。閉塞キャップ２９がバルブハウジング１１に装着されたときには、図２に示されるように、ステム３１を押し込んで弁部材２１を開放位置に移動させるプッシュロッド３２が閉塞キャップ２９に設けられている。プッシュロッド３２は閉塞キャップ２９の端面から外方に突出しており、プッシュロッド３２と閉塞キャップ２９の間はシール材３３によりシールされている。プッシュロッド３２の突出部に設けられた雄ねじにはナット３４がねじ止めされている。ナット３４には図１に示されるように平坦面３４ａが形成され、閉塞キャップ２９をバルブハウジング１１に対して装着したり、取り外したりする着脱操作が行われる際には、平坦面３４ａにスパナ等の工具を係合させたり、平坦面３４ａを作業者が直接手で掴んで閉塞キャップ２９を回転させることになる。ナット３４と閉塞キャップ２９はそれぞれ金属材料により形成されており、これらの間には連結金具３５が取り付けられている。
【００２３】
このように、バルブハウジング１１に閉塞キャップ２９を装着すると、図２に示されるように、プッシュロッド３２によりステム３１を介して弁部材２１の弁体２１ｂが弁座２２から離れて弁部材２１は開放位置に移動し、連通室１８とサンプリング孔１９は連通状態となる。この状態のもとでは、抜き取り口２６と閉塞キャップ２９の内部のスペースに透析液が入り込むことになる。
【００２４】
図４は閉塞キャップ２９をバルブハウジング１１から取り外した状態におけるサンプリングバルブ１０の一部省略断面図である。図４に示されるように、閉塞キャップ２９がバルブハウジング１１から取り外されると、板ばね２４のばね力により弁体２１ｂが弁座２２に接触して弁部材２１は閉塞位置となる。これにより、サンプリング孔１９と連通室１８との連通が遮断され、閉塞キャップ２９を取り外した状態のもとでは、液体流入路１６から連通室１８内に流入した透析液がサンプリング孔１９内に流入することが防止される。閉塞キャップ２９をバルブハウジング１１から取り外した状態のもとでステム３１が抜き取り口２６から外れるのを防止するために、ステム３１の弁体側の基端部は先端部よりも外径が大きくなっており、段部３６が第２のハウジング１１ｂに形成された段部３７に当接するようになっている。
【００２５】
第２のハウジング１１ｂに形成された段部３８には支持ブラケット３９が突き当てられるようになっており、支持ブラケット３９を段部３８との間で締結するロックナット４１が第２のハウジング１１ｂに形成された雄ねじ４２にねじ止めされるようになっている。ロックナット４１は閉塞キャップ２９が第２のハウジング１１ｂから取り外された状態のもとで第２のハウジング１１ｂにねじ止めされる。図３（Ｂ）に示されるように、第２のハウジング１１ｂには雄ねじ４２を部分的に切り換えて工具を係合させる平坦面４３が形成されている。支持ブラケット３９は、図１（Ａ）に示されるように、連結金具３５に対しチェーン４４により連結され、閉塞キャップ２９がバルブハウジング１１から離れないようになっている。この支持ブラケット３９を利用してサンプリングバルブ１０を所定の据え付け位置に取り付けるようにすることができる。
【００２６】
図５はステム３１の外観を示す斜視図であり、ステム３１は横断面が十字形状となっている。これにより、連通室１８と抜き取り口２６との間のサンプリング孔１９は、４つの案内通路１９ａ〜１９ｄに区分されている。ただし、案内通路１９ａ〜１９ｄの数は４つに限定されることなく、複数であれば、ステム３１により２つ若しくは３つ、またはそれ以上の案内流路にサンプリング孔１９を仕切るようにしても良い。さらに、ステム３１を断面円形の棒材により形成し、その棒材の中に複数の貫通孔を形成して案内通路を形成するようにしても良い。
【００２７】
液体流入路１６は液体流出路１７に対して角度を有しているので、液体流入路１６からサンプリングバルブ１０内に流入した透析液は、連通室１８内に流入すると液体流入路１６に対向する液流偏向面２０に衝突して液体流出路１７に振り向けられ、サンプリングバルブ１０から流出される。図２に示されるように、液体流出路１７を液体流入路１６よりも下側に配置すると、液体流出路１７に入り込む透析液の多くは、弁部材２１や板ばね２４に接触することなく、平坦面に案内されることになるので、透析液に透析された血液の老廃物等が流路内に沈殿することが防止される。
【００２８】
上述のように、連通室１８内の透析液は液流偏向面２０に衝突するので、連通室１８内における透析液の圧力は液体流入路１６側よりも液流偏向面２０側の方が高くなる。したがって、連通室１８内の透析液の一部は、４つの案内通路１９ａ〜１９ｄのうち液流偏向面２０側の案内通路１９ａ，１９ｂに流入して抜き取り口２６に向かうことになる。一方、抜き取り口２６から閉塞キャップ２９の内部のスペースに流入した透析液は、液体流入路１６側の案内流路１９ｃ，１９ｄに流入して連通室１８に戻ることになる。このように、連通室１８内の透析液の圧力は、図２において左右で相違することになるので、連通室１８には連通室１８から抜き取り口２６を介して連通室に戻る透析液の循環液流が、僅かであるが生成されることになる。これにより、透析時に弁部材２１がサンプリング孔１９を開放し、連通室１８から抜き取り口２６まで透析液が入り込んでいても、サンプリング孔１９内には循環する透析液の僅かな流れが生成されるので、サンプリング孔１９内に老廃物等が付着することが防止される。
【００２９】
横断面十字形状のステム３１とこれの先端面に当接するプッシュロッド３２の先端面との間における透析液の流れが円滑となるように、プッシュロッド３２の先端には、図２に示されるようにスリット４０が径方向に貫通して形成されている。
【００３０】
図６（Ａ）〜図６（Ｃ）はそれぞれ透析液ラインにサンプリングバルブ１０が装着されて透析液が流れている状態におけるサンプリングバルブ１０の概略断面図であり、図６（Ａ）は閉塞キャップ２９がバルブハウジングに装着された状態を示し、図６（Ｂ）は閉塞キャップ２９をバルブハウジング１１から取り外した状態を示し、図６（Ｃ）はバルブハウジング１１にシリンジやチューブ等からなるサンプリング部材４５を装着した状態を示す。
【００３１】
サンプリング部材４５は、バルブハウジング１１に着脱部として設けられた雄ねじ２７にねじ結合される雌ねじ２８ａが設けられるとともに、シール材３０に接触する円筒部４６が設けられた着脱ジョイント４７を有しており、着脱ジョイント４７には透析液を収容する収容容器４８が取り付けられている。サンプリング部材４５がバルブハウジング１１に装着されると、ステム３１を板ばね２４のばね力に抗して弁体２１ｂを弁座２２から離す方向に移動させるプッシュロッド３２ａが着脱ジョイント４７に設けられている。このように、バルブハウジング１１には閉塞キャップ２９とサンプリング部材４５とが選択的にそれぞれ着脱自在に装着されるようになっている。
【００３２】
上述したサンプリングバルブ１０が透析液ラインに取り付けられて通常の透析操作が行われているときには、図６（Ａ）に示されるように、閉塞キャップ２９がバルブハウジング１１に装着される。この状態のもとでは、液体流入路１６からサンプリングバルブ１０内に流入した透析液の多くは、下方を向いた液体流出路１７から外部に排出される。他の一部の透析液は上述したように連通室１８内に生成される循環液流によりサンプリング孔１９と連通室１８との間を循環することになる。したがって、閉塞キャップ２９が装着された状態のもとでも、サンプリングバルブ１０内には透析液が付着したり、沈殿したりすることが防止されることになり、透析作業が終了した後にサンプリングバルブ１０を洗浄する際における洗浄作業を迅速に行うことができる。
【００３３】
透析液をサンプリングしてその状態を検査するには、作業者により閉塞キャップ２９がバルブハウジング１１から取り外される。閉塞キャップ２９が取り外されると、図４および図６（Ｂ）に示されるように、弁部材２１の弁体２１ｂが板ばね２４のばね力により弁座２２に押し付けられてサンプリング孔１９は閉塞されて連通室１８との連通が遮断される。これにより、液体流入路１６から液体流出路１７に透析液が流れている状態のもとでも、透析液が抜き取り口２６から外部に漏出することが防止される。
【００３４】
この状態のもとで、図６（Ｃ）に示されるように、サンプリング部材４５がバルブハウジング１１に装着されて雄ねじ２７にねじ止めされる。サンプリング部材４５にはプッシュロッド３２ａが設けられているので、サンプリング部材４５がバルブハウジング１１に装着されると、ステム３１を介してサンプリング部材４５により弁部材２１は開放位置となる。これにより、連通室１８内の透析液が抜き取り口２６から収容容器４８内に入り込むことになる。このとき、抜き取り口２６から連通室１８に戻る透析液の流通抵抗は、抜き取り口２６から収容容器４８内に流入する透析液の流通抵抗よりも大きいので、抜き取り口２６にまで流れた透析液は殆ど戻ることなく、収容容器４８内にサンプル液として収容される。したがって、閉塞キャップ２９が装着されたときには抜き取り口２６から連通室１８に戻る流れが発生したが、これに代えてサンプリング部材４５が装着されたときには抜き取り口２６から連通室１８に戻る流れは発生しなくなる。
【００３５】
透析液のサンプリング操作が終了した後にサンプリング部材４５をバルブハウジング１１から取り外しても、弁部材２１によりサンプリング孔１９が閉じられるので、抜き取り口２６から透析液が漏出することが防止される。この状態のもとで、閉塞キャップ２９がバルブハウジング１１に装着されると、サンプリングバルブ１０は図６（Ａ）に示した状態となる。
【００３６】
透析が終了した後に、サンプリングバルブ１０を洗浄する際には、透析液ラインに洗浄液を流通させることになる。このときには、透析液ラインに洗浄液を流すと、サンプリング孔１９内には循環液流が生成されるので、透析時に透析液が接触した部分には洗浄液が回り込み、閉塞キャップ２９を装着したままでもサンプリングバルブ１０の内部を洗浄することができる。この洗浄作業においては、上述したように、透析液の付着や沈殿が防止されているので、より迅速に洗浄作業を行うことができる。
【００３７】
洗浄する際には、閉塞キャップ２９を取り外してバルブハウジング１１に洗浄液供給管を装着し、抜き取り口２６から洗浄液を供給するようにしても良く、バルブハウジング１１に洗浄液排出管を装着して抜き取り口２６から外部に洗浄液の一部を排出するようにしても良い。
【００３８】
図７（Ａ）は本発明の他の実施の形態である医療用サンプリングバルブを示す断面図であり、図７（Ｂ）は図７（Ａ）の７Ｂ−７Ｂ線断面図である。図８（Ａ）は本発明のさらに他の実施の形態である医療用サンプリングバルブを示す断面図であり、図８（Ｂ）は図８（Ａ）における８Ｂ−８Ｂ線断面図である。これらの図においては、閉塞キャップが取り外された状態となって示されており、図１〜図６に示された部材と共通する部材には同一の符号が付されている。
【００３９】
図７に示したサンプリングバルブ１０ａにおいては、流出側ジョイント部１５に形成された液体流出路１７の中心軸Ｏ1に対して第２のハウジング１１ｂに形成されたサンプリング孔１９の中心軸Ｏ2が偏心量Ｅだけ液体流入路１６側にずれている。したがって、連通室１８からサンプリング孔１９に向けて流れる透析液は、図１〜図６に示したサンプリングバルブ１０よりも多くなる。これにより、サンプリング孔１９内に形成される案内通路１９ａ〜１９ｄ内を循環する透析液の量は、サンプリングバルブ１０よりも多くすることができ、弁部材２１、板ばね２４およびステム３１等に付着する異物の量を少なくすることができる。
【００４０】
図８に示したサンプリングバルブ１０ｂにおいては、液体流出路１７の中心軸Ｏ1とサンプリング孔１９の中心軸Ｏ2とが図１〜図６に示した場合と同様に同心状となっているのに対し、液流偏向面２０は、液体流入路１６に対して直角となった偏向面２０ａと、これに対して角度を有しサンプリング孔１９に向けて傾斜した偏向面２０ｂとにより形成されている。さらに、液体流入路１６の連通室１８側の開口部には偏向面２０ｂに対して平行な案内面２０ｃが形成されている。このように、連通室１８を形成する連通孔１８ａを傾斜させることにより、連通室１８からサンプリング孔１９に向かう透析液の流れを液体流入路１６側とこれの反対側とで相違させて、液体流入路１６に対して反対側に向かう流れをより多く生成させることができる。これにより、弁部材２１、板ばね２４およびステム３１等に付着する異物の量をより少なくすることができる。
【００４１】
このように、それぞれのサンプリングバルブ１０〜１０ｂにおいては、連通室１８に流入した透析液に連通室１８内の横方向に圧力差を発生させて液流偏向面２０により透析液の一部をサンプリング孔１９内で循環させるようにしたので、連通室１８およびサンプリング孔１９内における老廃物等の異物の滞留や付着を防止することができる。なお、循環液流を形成することができれば、サンプリング孔１９の中心軸Ｏ2を液体流出路１７に対して傾斜させるようにしても良い。
【００４２】
それぞれのサンプリングバルブ１０〜１０ｂは、液体流入路１６が水平となるようにして通常使用されるが、液体流出路１７とサンプリング孔１９の上下関係を反転させて使用しても、さらには、液体流入路１６を傾斜させて使用しても、サンプリング孔１９の内部には循環液流が生成されるので、上述のようにサンプリングバルブの内部における異物等の物質が滞留したり、付着することを防止することができる。
【００４３】
本発明は前記実施の形態に限定されるものではなく、その要旨を逸脱しない範囲で種々変更可能である。例えば、それぞれのサンプリングバルブ１０，１０ａ，１０ｂは、透析液ラインに取り付けられて透析液をサンプリングするために使用されているが、液体が流れるラインにおいてその液体をサンプリングするためであれば、透析液以外の他の液体のサンプリングにも本発明のサンプリングバルブを適用することができる。
【図面の簡単な説明】
【００４４】
【図１】（Ａ）は本発明の一実施の形態である医療用サンプリングバルブの外観を示す正面図であり、（Ｂ）は図１（Ａ）の側面図である。
【図２】図１（Ｂ）の断面図である。
【図３】（Ａ）は図２における３Ａ−３Ａ線断面図であり、（Ｂ）は図２における３Ｂ−３Ｂ線断面図であり、（Ｃ）は図２における３Ｃ−３Ｃ線断面図であり、（Ｄ）は図２における３Ｄ−３Ｄ線断面図であり、（Ｅ）は図２における３Ｅ−３Ｅ線断面図である。
【図４】閉塞キャップをバルブハウジングから取り外した状態におけるサンプリングバルブの一部省略断面図である。
【図５】ステムの外観を示す斜視図である。
【図６】（Ａ）〜（Ｃ）はそれぞれ透析液ラインにサンプリングバルブが装着されて透析液が流れている状態におけるサンプリングバルブの概略断面図であり、（Ａ）は閉塞キャップがバルブハウジングに装着された状態を示し、（Ｂ）は閉塞キャップをバルブハウジングから取り外した状態を示し、（Ｃ）はバルブハウジングにサンプリング部材を装着した状態を示す。
【図７】（Ａ）は本発明の他の実施の形態である医療用サンプリングバルブを示す断面図であり、（Ｂ）は（Ａ）の７Ｂ−７Ｂ線断面図である。
【図８】（Ａ）は本発明のさらに他の実施の形態である医療用サンプリングバルブを示す断面図であり、（Ｂ）は（Ａ）における８Ｂ−８Ｂ線断面図である。
【符号の説明】
【００４５】
１０      医療用サンプリングバルブ
１１      バルブハウジング
１１ａ    第１のハウジング
１１ｂ    第２のハウジング
１４      流入側ジョイント部
１５      流出側ジョイント部
１６      液体流入路
１７      液体流出路
１８      連通室
１９      サンプリング孔
１９ａ〜１９ｄ  案内通路
２０      液流偏向面
２１      弁部材
２２      弁座
２４      板ばね（ばね部材）
２６      抜き取り口
２７      雄ねじ（着脱部）
２９      閉塞キャップ
３１      ステム
３２      プッシュロッド
４１      ロックナット
【図１】
0005154979.tif 000002
【図２】
0005154979.tif 000003
【図３】
0005154979.tif 000004
【図４】
0005154979.tif 000005
【図５】
0005154979.tif 000006
【図６】
0005154979.tif 000007
【図７】
0005154979.tif 000008
【図８】
0005154979.tif 000009